【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
被覆設備用、特に車体（１０２）の被覆設備用の乾燥装置の２つの乾燥装置モジュールの組合せであって、前記乾燥装置が、乾燥させるべき対象物を収容する乾燥装置作用空間（１１０）を含み、該乾燥装置作用空間（１１０）が、乾燥装置底部（１１６）と、乾燥装置天井（１２４）と、側方の境界壁（１１２）とによって区切られているものにおいて、
前記乾燥装置モジュール（１５６ａ，１５６ｂ）のそれぞれが、前記乾燥装置作用空間（１１０）の前記側方の境界壁（１１２）の少なくとも１つのセクションと、前記乾燥装置底部（１１６）のセクション（１６２）および前記乾燥装置天井（１２４）のセクション（１７０）の少なくとも一方を備え、前記乾燥装置底部の前記セクション（１６２）および前記乾燥装置天井の前記セクション（１７０）の少なくとも一方が前記境界壁の前記セクションに対し回転可能に前記境界壁の前記セクションと結合されており、
第１の乾燥装置モジュール（１５６ａ）は乾燥装置底部セクション（１６２）を具備し、第２の乾燥装置モジュール（１５６ｂ）は乾燥装置天井セクション（１７０）を具備していることを特徴とする組み合わせ。
【請求項２】
少なくとも１つの前記乾燥装置モジュール（１５６ａ，１５６ｂ）の前記乾燥装置底部の前記セクション（１６２）および／または前記乾燥装置天井の前記セクション（１７０）が、少なくとも１つのヒンジ（１５８，１６６）によって前記境界壁の前記セクションと結合されていることを特徴とする、請求項１に記載の組み合わせ。
【請求項３】
少なくとも１つの前記乾燥装置モジュール（１５６ａ，１５６ｂ）の前記乾燥装置底部の前記セクション（１６２）および前記乾燥装置天井の前記セクション（１７０）が、前記乾燥装置作用空間（１１０）の実質的に全幅（Ｂ）にわたって延びていることを特徴とする、請求項１または２に記載の組み合わせ。
【請求項４】
少なくとも１つの前記乾燥装置モジュール（１５６ａ，１５６ｂ）は、前記乾燥装置底部の前記セクション（１６２）および前記乾燥装置天井の前記セクション（１７０）の少なくとも一方が前記乾燥装置モジュール（１５６ａ，１５６ｂ）の前記境界壁の前記セクションに対し実質的に平行に延びる折り畳み状態にすることができることを特徴とする、請求項１〜３のいずれか１項に記載の組み合わせ。
【請求項５】
前記乾燥装置モジュール（１５６ａ，１５６ｂ）が熱風式乾燥装置（１００）用の乾燥装置モジュールであり、前記熱風式乾燥装置（１００）が、前記乾燥装置作用空間（１１０）に供給すべき乾燥装置供給空気が流れることができる少なくとも１つの空気供給管（１１４）を含み、前記乾燥装置モジュール（１５６ａ，１５６ｂ）が前記空気供給管（１１４）のセクションを含み、前記乾燥装置モジュール（１５６ａ，１５６ｂ）の前記乾燥装置底部の前記セクション（１６２）および前記乾燥装置天井の前記セクション（１７０）の少なくとも一方が、前記空気供給管（１１４）の前記セクションに対し回転可能に前記空気供給管（１１４）の前記セクションと結合されていることを特徴とする、請求項１〜４のいずれか１項に記載の組み合わせ。
【請求項６】
前記組み合わせが、両方の前記乾燥装置モジュール（１５６ａ，１５６ｂ）を収容する搬送容器（１８２）をさらに含むことを特徴とする、請求項１〜５のいずれか１項に記載の組み合わせ。
【請求項７】
前記乾燥装置モジュール（１５６ａ，１５６ｂ）の少なくとも１つが、それに関係する、前記乾燥装置モジュール（１５６ａ，１５６ｂ）の前記乾燥装置底部の前記セクション（１６２）または前記乾燥装置天井の前記セクション（１７０）が前記乾燥装置モジュール（１５６ａ，１５６ｂ）の前記境界壁の前記セクションに対し実質的に平行に延びる折り畳み状態で、前記搬送容器（１８２）によって収容されることを特徴とする、請求項６に記載の組み合わせ。
【請求項８】
前記乾燥装置が、車体用の被覆装置用の乾燥装置であることを特徴とする、請求項１〜７のいずれか１項に記載の組み合わせ。
【請求項９】
乾燥させるべき対象物を収容するための乾燥装置作用空間（１１０）を含む、被覆設備用の乾燥装置であって、前記乾燥装置作用空間（１１０）が、乾燥装置底部（１１６）と、乾燥装置天井（１２４）と、少なくとも１つの側方境界壁（１１２）とによって区切られている乾燥装置において、前記乾燥装置が、請求項１〜８のいずれか１項に記載の乾燥装置モジュール（１５６ａ，１５６ｂ）の組合せを、少なくとも１つ、含むことを特徴とする乾燥装置。
【請求項１０】
前記乾燥装置底部の前記セクション（１６２）を含む少なくとも１つの第１の前記乾燥装置モジュール（１５６ａ）と、前記乾燥装置天井の前記セクション（１７０）を含む少なくとも１つの第２の前記乾燥装置モジュール（１５６ｂ）とを含み、
前記第１の乾燥装置モジュール（１５６ａ）の前記乾燥装置底部の前記セクション（１６２）が前記第２の乾燥装置モジュール（１５６ｂ）に固定され、かつ、または、
前記第２の乾燥装置モジュール（１５６ｂ）の前記乾燥装置天井の前記セクション（１７０）が前記第１の乾燥装置モジュール（１５６ａ）に固定されていることを特徴とする、請求項９に記載の乾燥装置。
【請求項１１】
前記第１の乾燥装置モジュール（１５６ａ）の前記乾燥装置底部の前記セクション（１６２）が前記第２の乾燥装置モジュール（１５６ｂ）に気密に固定され、かつ、または、
前記第２の乾燥装置モジュール（１５６ｂ）の前記乾燥装置天井の前記セクション（１７０）が前記第１の乾燥装置モジュール（１５６ａ）に気密に固定されていることを特徴とする、請求項１０に記載の乾燥装置。
【請求項１２】
前記第１の乾燥装置モジュール（１５６ａ）および前記第２の乾燥装置モジュール（１５６ｂ）が互いに溶接されていることを特徴とする、請求項１０または１１に記載の乾燥装置。
【請求項１３】
前記乾燥装置が、前記乾燥装置作用空間（１１０）に供給すべき乾燥装置供給空気が流れることができる少なくとも１つの空気供給管（１１４）を含む熱風式乾燥装置（１００）として形成されていることを特徴とする、請求項９〜１２のいずれか１項に記載の乾燥装置。
【請求項１４】
前記乾燥装置が、前記空気供給管（１１４）のセクションを含む少なくとも１つの前記乾燥装置モジュール（１５６ａ，１５６ｂ）を含むことを特徴とする、請求項１３に記載の乾燥装置。
【請求項１５】
前記乾燥装置が、他の乾燥装置モジュール（１５６ｂ）の空気供給管のセクションの底部に固定されている前記乾燥装置底部のセクション（１６２）を備える少なくとも１つの前記乾燥装置モジュール（１５６ａ）を含むことを特徴とする、請求項１４に記載の乾燥装置。
【請求項１６】
前記乾燥装置の底部のセクションが、前記他の乾燥装置モジュール（１５６ｂ）の前記供給管のセクションの底部に気密に固定されていることを特徴とする、請求項１５に記載の乾燥装置。
【請求項１７】
前記乾燥装置が、他の乾燥装置モジュール（１５６ａ）の供給管のセクションの天井部に固定されている乾燥装置の天井部（１７０）を有する少なくとも１つの乾燥装置モジュール（１５６ｂ）を含むことを特徴とする、請求項１４〜１６のいずれか１項に記載の乾燥装置。
【請求項１８】
前記乾燥装置の天井部（１７０）が、前記他の乾燥装置モジュール（１５６ａ）の前記供給管のセクションの天井部に気密に固定されていることを特徴とする、請求項１７に記載の乾燥装置。
【請求項１９】
前記乾燥装置が、互いに溶接されている少なくとも２つの前記乾燥装置モジュール（１５６ａ，１５６ｂ）を含むことを特徴とする、請求項９〜１８のいずれか１項に記載の乾燥装置。
【請求項２０】
前記乾燥装置が、前記乾燥装置の縦方向（１０６）に延びる乾燥装置セグメント（１５４）を一緒に形成する少なくとも２つの前記乾燥装置モジュール（１５６ａ，１５６ｂ）を含むことを特徴とする、請求項９〜１９のいずれか１項に記載の乾燥装置。
【請求項２１】
前記乾燥装置が、前記乾燥装置の縦方向（１０６）に連続する複数の乾燥装置セグメント（１５４）を備え、該乾燥装置セグメント（１５４）が、少なくとも２つの前記乾燥装置モジュール（１５６ａ，１５６ｂ）からそれぞれ構成されていることを特徴とする、請求項２０に記載の乾燥装置。
【請求項２２】
前記乾燥装置が、前記乾燥させるべき対象物を前記乾燥装置作用空間（１１０）を通して搬送方向（１０６）に沿って搬送する搬送装置（１０４）を含むことを特徴とする、請求項９〜２１のいずれか１項に記載の乾燥装置。
【請求項２３】
前記乾燥装置が、車体用の被覆装置用の乾燥装置であることを特徴とする、請求項９〜２２のいずれか１項に記載の乾燥装置。